(57)【要約】      （修正有）【課題】構造が簡単で耐用性が高く、且つコストが低い省力型螺旋モップ柄を提供する。【解決手段】省力型螺旋モップ柄は、把持柄１０と、外柄２０と、内柄３０と、回転ユニット４０と、固定機構５０とを含む。前記把持柄１０は中空の柄体によって構成され、把持柄１０の一方の端部に結合エリア１１が設けられている。前記外柄２０の一部が把持柄１０の中空内部に設置され、外柄２０には、収容空間２１と、２つの係合穴２０１と、凹入ねじ山部２２と、押圧キャップ２３と、弾性部材２４と、係合部２５とが設けられている。収容空間２１は、外柄２０に形成され、且つ外柄２０の両端に開口が形成するように外柄２０を貫通している。それらの係合孔２０１は、対向するように外柄２０の外壁面に形成され、収容空間２１に連通している。該凹入ねじ山部２２は、外柄２０の内壁面における外柄２０の両端の開口から離れた部位に、外柄２０を巡るように形成されている。【選択図】図２
0003192778.tif 000002
【実用新案登録請求の範囲】
【請求項１】
中空の柄体である把持柄と、
前記把持柄に挿設され、収容空間と凹入ねじ山部とが設けられた外柄と、
前記外柄の収容空間に挿設され、取り付け孔が設けられた内柄と、
前記内柄に連結され、プッシュブロックと螺旋ブロックとを有する回転ユニットと、
前記把持柄から離れるように内柄の一端の外壁面に設置された固定装置と
を含み、
前記収容空間は、該外柄の両端を貫通するように形成され、前記凹入ねじ山部は、該外柄の内壁面を巡るように該内壁面に形成され、
前記取り付け孔は、内柄の一端に形成され、
前記プッシュブロックは、取り付け孔内に設置され、該プッシュブロックには、ガイドロッドが突出するように形成され、前記螺旋ブロックは、ガイドロッドによって挿通され且つプッシュブロックと係合し、該螺旋ブロックの外壁面には、外柄の凹入ねじ山部に歯合する複数の螺旋突起が設けられている、省力型螺旋モップ柄。
【請求項２】
前記螺旋ブロックの螺旋突起は、螺旋ブロックの外周壁面を斜めに巡るように、所定間隔をおいて形成され、それらの螺旋ブロック同士の間には、複数の斜め凹溝が形成され、該螺旋ブロックの斜め凹溝及び螺旋突起はそれぞれ、外柄の凹入ねじ山部と対応するように外柄の内部に組み合わせられる、請求項１に記載の省力型螺旋モップ柄。
【請求項３】
前記把持柄には、その一方の端部に形成されている結合エリアが設けられ、前記外柄には、２つの係合穴と、押圧キャップと、弾性部材と、係合部とが設けられ、前記収容空間は、外柄の両端に開口が形成するように外柄を貫通し、それらの係合孔は、外柄の外壁面に形成され且つ収容空間に連通し、該凹入ねじ山部は、外柄の両端の開口から離れ、該押圧キャップには、対向するように配置された２つの突起が設けられ、該押圧キャップは、２つの突起が２つの係合孔にそれぞれ係合するように収容空間内に設置され、該弾性部材は、押圧キャップ内に設置され、該係合部は、係合孔の上方に位置するように、該外柄の一端にある開口に形成され、該係合部は、把持柄の中空内部に挿設されて結合エリアによって挟持されている、請求項１又は２に記載の省力型螺旋モップ柄。
【請求項４】
前記プッシュブロックには、４つの傾斜当接面と、４つの押動面とが設けられ、該プッシュブロックのガイドロッドは、外柄の収容空間内に位置するように突出し、該ガイドロッドの上面にはロック孔が形成され、該ガイドロッドの底部の外周壁面に、それらの傾斜当接面及び押動面が所定間隔をおいて交替に設けられ、なお、一方の該押動面の底縁から該傾斜当接面が斜め上方へ延設され、該傾斜当接面の上縁に他方の該押動面が下方へ延設され、該傾斜当接面が該押動面との間に夾角を形成し、前記螺旋ブロックには、挿通孔と、４つの傾斜接触面と、４つの連動面とが設けられ、該挿通孔は、回転ブロックの両端を貫通するように形成され、該挿通孔には、プッシュブロックのガイドロッドが挿設され、それらの傾斜接触面及び連動面は、それらの傾斜当接面及び押動面に対応して係合するように、所定間隔をおいて螺旋ブロックの底面に設置されている、請求項２に記載の省力型螺旋モップ柄。
【請求項５】
前記プッシュブロックには、４つの傾斜当接面と、４つの押動面とが設けられ、該プッシュブロックのガイドロッドは、外柄の収容空間内に位置するように突出し、該ガイドロッドの上面にはロック孔が形成され、該ガイドロッドの底部の外周壁面に、それらの傾斜当接面及び押動面が所定間隔をおいて交替に設けられ、なお、一方の該押動面の底縁から該傾斜当接面が斜め上方へ延設され、該傾斜当接面の上縁に他方の該押動面が下方へ延設され、該傾斜当接面が該押動面との間に夾角を形成し、前記螺旋ブロックには、挿通孔と、４つの傾斜接触面と、４つの連動面とが設けられ、該挿通孔は、回転ブロックの両端を貫通するように形成され、該挿通孔には、プッシュブロックのガイドロッドが挿設され、それらの傾斜接触面及び連動面は、それらの傾斜当接面及び押動面に対応して係合するように、所定間隔をおいて螺旋ブロックの底面に設置されている、請求項３に記載の省力型螺旋モップ柄。
【請求項６】
前記弾性部材の一端に係合端が設けられると共に他端に緩衝端が設けられ、該係合端の直径は緩衝端の直径よりも大きく、該弾性部材の係合端は、押圧キャップに係合するように押圧キャップ内に設置され、該緩衝端は押圧キャップから突出し、前記回転ユニットには、固定部材と、ワッシャーとが設けられ、該固定部材は、螺旋ブロックの挿通孔に挿通され且つガイドロッドのロック孔に固定され、該ワッシャーは、螺旋ブロックの上面に設置され且つ固定部材によって挿通され、該ワッシャーは、弾性部材の緩衝端を押圧する、請求項３に記載の省力型螺旋モップ柄。
【請求項７】
前記弾性部材の一端に係合端が設けられると共に他端に緩衝端が設けられ、該係合端の直径は緩衝端の直径よりも大きく、該弾性部材の係合端は、押圧キャップに係合するように押圧キャップ内に設置され、該緩衝端は押圧キャップから突出し、前記回転ユニットには、固定部材と、ワッシャーとが設けられ、該固定部材は、螺旋ブロックの挿通孔に挿通され且つガイドロッドのロック孔に固定され、該ワッシャーは、螺旋ブロックの上面に設置され且つ固定部材によって挿通され、該ワッシャーは、弾性部材の緩衝端を押圧する、請求項５に記載の省力型螺旋モップ柄。
【請求項８】
前記固定装置は、内柄の一端の外周壁面に設置され且つ外柄の末端に環装され、該固定装置は把持柄から離れ、固定装置には、クランプ部材が設けられ、該クランプ部材は、固定装置の外壁面に枢設されている、請求項７に記載の省力型螺旋モップ柄。
【考案の詳細な説明】
【技術分野】
【０００１】
本考案は、モップ柄に関し、特に下方への押圧力を受けると、自転しながら脱水することが可能な省力型螺旋モップ柄に関する。
【背景技術】
【０００２】
モップは、日常生活においてよく見られる掃除道具であり、柄体と、柄体の一端に取り付けられるモップヘッドと、モップヘッドに設置される吸水綿ロープとによって構成されている。掃除する際には、綿ロープをバケツ内の水に浸して水を吸収させ、綿ロープに吸収された水の溶解性によって床の汚れを除去する。モップの綿ロープに水を吸収させた後、余分の水を落とすために脱水処理を行わなわなければならない。従来のモップでは、手で絞って脱水するようにしているが、この方法では労力を要し且つ手が汚れてしまう。
【０００３】
この問題を解決するために、従来の回転型モップが開発されていた。この回転型モップでは、モップヘッドが柄体に枢接され、モップヘッド及び綿ロープが柄体に対して回転して脱水することができる。当該モップとセットで使用される特殊な脱水バケツには、脱水バケツ内に設置されている脱水かごと、該脱水かごに連動している駆動装置とが設けられている。使用する際には、モップヘッドと綿ロープとを脱水かご内に押し入れて該駆動装置を踏んだら、脱水かごとモップヘッドとを回転させ、回転による遠心力によって綿ロープを脱水させることができる。
【考案の概要】
【考案が解決しようとする課題】
【０００４】
従来の回転モップは、駆動装置を備えた脱水バケツとセットで使用するものであり、このような脱水バケツでは、駆動装置が設けられ、該駆動装置に螺旋柄とギアを含む伝動ユニットが用いられている。該脱水バケツは、足で駆動装置を踏むことで脱水かごを動かすように構成されているが、部品が多くて構造が複雑であるため、故障しやすくて耐用性が悪い上に、生産コストが高い。また、脱水バケツの内部に駆動装置が設置されたことから、その脱水バケツ内には掃除しにくい死角が多く存在する。さらに、このような脱水バケツには、重量が重くて貯水量が少ないといった欠点があり、脱水の過程中にモップを把持しながら駆動装置を踏まなければならないため、使用方法が煩雑であった。
【０００５】
本考案は、上記従来技術の欠点に鑑みて成されたものであり、その目的は、下方への押圧力を受けると、自転しながら脱水することができるように従来の回転モップを改良し、構造が簡単であって耐用性が高く、且つコストが低いものとすることにある。
【課題を解決するための手段】
【０００６】
上記目的を達成するために、本考案は省力型螺旋モップ柄を提供し、該省力型螺旋モップ柄は、
中空の柄体である把持柄と、
前記把持柄に挿設され、収容空間と凹入ねじ山部とが設けられた外柄と、
前記外柄の収容空間に挿設され、取り付け孔が設けられた内柄と、
前記内柄に連結され、プッシュブロックと螺旋ブロックとを有する回転ユニットと、
前記把持柄から離れるように内柄の一端の外壁面に設置された固定装置と
を含み、
前記収容空間は、該外柄の両端を貫通するように形成され、前記凹入ねじ山部は、該外柄の内壁面を巡るように該内壁面に形成され、
前記取り付け孔は、内柄の一端に形成され、
前記プッシュブロックは、取り付け孔内に設置され、該プッシュブロックには、ガイドロッドが突出するように形成され、前記螺旋ブロックは、ガイドロッドによって挿通され且つプッシュブロックと係合し、該螺旋ブロックの外壁面には、外柄の凹入ねじ山部に歯合する複数の螺旋突起が設けられている。
【考案の効果】
【０００７】
本考案の外柄の凹入ねじ山部と、螺旋ブロックの螺旋突起との噛合により、外力で外柄を押圧すると、螺旋ブロックは外柄の中で回転することとなり、更に、螺旋ブロックとプッシュブロックの連動により、内柄が自転することとなる。本考案の使用時、モップヘッド及び吸水綿ロープは内柄の他端に設置され、手で押圧することによる自転現象によって脱水される。脱水した後、固定装置を操作することで、回転しないように内柄をクランプする。このように、本考案は使用が容易であり、且つ回転式脱水バケツを必要とせず、足で回転式脱水バケツを踏まなくて済む。
【図面の簡単な説明】
【０００８】
【図１】本考案の外観斜視図である。
【図２】本考案の構成部材の分解図である。
【図３】本考案に係る螺旋外柄の部分拡大断面図である。
【図４】本考案に係るプッシュブロックの外観斜視図である。
【図５】本考案に係る螺旋ブロックの外観斜視図である。
【図６】本考案に係る螺旋ブロックの正面図である。
【図７】本考案の一部の構成部材の断面図である。
【図８】本考案の移動動作を示す図である。
【考案を実施するための形態】
【０００９】
以下、図面及び本考案の好ましい実施形態を参照しながら、本考案の目的を達成するために用いられた技術的手段を更に説明する。
【００１０】
図１に示すように、本考案の省力型螺旋モップ柄は、把持柄１０と、外柄２０と、内柄３０と、回転ユニット４０と、固定機構５０とを含む。
【００１１】
図１及び図２に示すように、前記把持柄１０は中空の柄体によって構成され、把持柄１０の一方の端部に結合エリア１１が設けられている。
【００１２】
図２、図３及び図７に示すように、前記外柄２０の一部が把持柄１０の中空内部に設置され、外柄２０には、収容空間２１と、２つの係合穴２０１と、凹入ねじ山部２２と、押圧キャップ２３と、弾性部材２４と、係合部２５とが設けられている。収容空間２１は、外柄２０に形成され、且つ外柄２０の両端に開口が形成するように外柄２０を貫通している。それらの係合孔２０１は、対向するように外柄２０の外壁面に形成され、収容空間２１に連通している。該凹入ねじ山部２２は、外柄２０の内壁面における外柄２０の両端の開口から離れた部位に、外柄２０を巡るように形成されている。押圧キャップ２３には、対向するように配置された２つの突起２３１が設けられている。該押圧キャップ２３は、２つの突起２３１が２つの係合孔２０１にそれぞれ係合するように、外柄２０の収容空間２１内に設置されている。弾性部材２４の一端に係合端２４１が設けられると共に他端に緩衝端２４２が設けられている。係合端２４１の直径は緩衝端２４２の直径よりも大きくする。弾性部材２４の係合端２４１は、押圧キャップ２３に係合するように押圧キャップ２３内に設置され、弾性部材２４の緩衝端２４２は押圧キャップ２３から突出している。係合部２５は、係合孔２０１の上方に位置するように、外柄２０の一端にある開口に形成されている。該係合部２５は、把持柄１０の中空内部に挿設されて結合エリア１１によって挟持されている。
【００１３】
図２及び図７に示すように、前記内柄３０は外柄２０の収容空間２１内に挿設され、内柄３０には、内柄３１の一端を貫通するように取り付け孔３１が形成されている。
【００１４】
図２及び図４に示すように、前記回転ユニット４０は、内柄３０に連結している。回転ユニット４０は、取り付け孔３１に挿設され且つ外柄２０の内周壁面によって覆われるプッシュブロック４１と、螺旋ブロック４２と、固定部材４３と、ワッシャー４４とを有している。図６を併せて参照して説明すると、プッシュブロック４１には、ガイドロッド４１１と、４つの傾斜当接面４１２と、４つの押動面４１３とが設けられている。ガイドロッド４１１はプッシュ４１の上面中央部から外柄２０の収容空間２１内に位置するように突出している。ガイドロッド４１１の上面にはロック孔４１１１が形成されている。ガイドロッド４１１の底部の外周壁面に、それらの傾斜当接面４１２及び押動面４１３が所定間隔をおいて交替に設けられている。すなわち１つの傾斜当接面４１２が一方の押動面４１３の底縁から斜め上方へ延設され、該傾斜当接面４１２の上縁に他方の押動面４１３が垂直状態に下方へ延設され、該傾斜当接面４１２が押動面４１３との間に夾角を形成する。
【００１５】
図５及び図６を併せて参照して説明すると、螺旋ブロック４２は、該プッシュブロック４１に係合するように設置されていると共に、内柄３０の上端に連結されている。螺旋ブロック４２には、挿通孔４２１と、複数の螺旋突起４２２と、４つの傾斜接触面４２３と、４つの連動面４２４とが設けられている。該挿通孔４２１は、回転ブロック４２の両端を貫通するように形成され、挿通孔４２１には、プッシュブロック４１のガイドロッド４１１が挿設されている。それらの螺旋突起４２２は、螺旋ブロック４２２の外周壁面を斜めに巡るように、所定間隔をおいて形成され、それらの螺旋ブロック４２２同士の間には、複数の斜め凹溝４２５が形成されている。該螺旋ブロック４２の斜め凹溝４２５及び螺旋突起４２２はそれぞれ、外柄２０の凹入ねじ山部２２と対応するように外柄２０の内部に組み合わせられている。それらの傾斜接触面４２３及び連動面４２４は、それらの傾斜当接面４１２及び押動面４１３に対応して係合するように、所定間隔をおいて螺旋ブロック４２の底面に設置されている。該固定部材４３は、螺旋ブロック４２の挿通孔４２１に挿通され且つガイドロッド４１１のロック孔４１１１に固定されている。該ワッシャー４４は、螺旋ブロック４２の上面に設置され且つ固定部材４３によって挿通されている。ワッシャー４４は、弾性部材２４の緩衝端２４２を押圧する。
【００１６】
図１及び図２に示すように、固定装置５０は、内柄３０の一端の外周壁面に設置され且つ外柄２０の末端に環装されている。該固定装置５０は把持柄１０から離れ、固定装置５０には、クランプ部材５１が設けられている。該クランプ部材５１は、外柄２０と内柄３０の回転移動を規制するものであり、固定装置５０の外壁面に枢設されている。
【００１７】
図１、図７及び図８に示すように、本考案の使用時、固定装置５０の一端から突出する内柄２０の一端には、モップヘッド及び吸水綿ロープが設置される。本考案は、脱水かごが枢設された脱水バケツとセットで使用され、使用時には、水に浸かったモップヘッド及び吸水綿ロープを回転可能な脱水かごに入れた状態で、使用者が把持柄１０を持ち且つ下方へ押圧する力を把持柄１０に付与する。そうすると、下方への押圧力が把持柄１０を介して外柄２０に伝達され、外柄２０の押入ねじ山部２２によって螺旋ブロック４２が外柄２０内の押入ねじ山部２２に沿って自転する。また、螺旋ブロック４２に係合しているプッシュブロック４１が螺旋ブロック４２に連動して回転するため、プッシュブロック４１と連結している内柄３０も同時に回転するようになる。回転中に、螺旋ブロック４２が外柄２０は凹入ねじ山部２２に沿って移動する時に、外柄２０が螺旋ブロック４２に対して最底部まで移動すると、螺旋ブロック４２が凹入ねじ山部２２の上部末端に噛合すると共に、ワッシャーがバネ２４の緩衝端２４２を押圧する。この時に把持柄１０を上方に移動させると、螺旋ブロック４２が外柄２０は凹入ねじ山部２２に沿って回転しながら下方へ移動するが、プッシュブロック４１から離れることから、内柄３０を連動して一方向に回転することはない。外柄２０が螺旋ブロック４２に対して最上部まで移動した後、再び把持柄１０を下方へ移動させると、外柄２０の凹入ねじ山部２２によって螺旋ブロック４２は下方へ移動してプッシュブロック４１に係合するため、内柄３０を一方向に回転させることができる。このように、把持柄１０を上方及び下方へ繰り返して移動させて内柄３０を一方向に回転させれば、脱水の目的を果たすことができる。
【００１８】
本考案は自転機能を有し、力を付与すれば内柄３０を回転させることができる。このため、本考案は従来の回転式脱水バケツとセットで使用する必要がなく、足で回転式脱水バケツを踏まなくても脱水の目的を果たすことができる。したがって、本考案は構造が簡単であって耐用性が高く、且つコストが低いメリットを有する。
【００１９】
以上は本考案の好ましい実施形態の説明に過ぎず、本考案を如何なる形で限定するものではない。通常の知識を有する当該分野の者が、本考案の技術要旨を逸脱しない範囲で、以上に開示された技術内容に基づいてなされた同等効果を有する如何なる簡単な修正或いは変更は、いずれも本考案の保護範囲内に含まれるものとする。
【符号の説明】
【００２０】
１０      把持柄
１１      結合エリア
２０      外柄
２１      収容空間
２０１    係合孔
２２      凹入ねじ山部
２３      押圧キャップ
２３１    突起
２４      弾性部材
２４１    係合端
２４２    緩衝端
２５      係合部
３０      内柄
３１      取り付け孔
４０      回転ユニット
４１      プッシュブロック
４１１    ガイドロッド
４１１１  ロック孔
４１２    傾斜当接面
４１３    押動面
４２      螺旋ブロック
４２１    挿通孔
４２２    螺旋突起
４２３    傾斜接触面
４２４    連動面
４２５    斜め凹溝
４３      固定部材
４４      ワッシャー
５０      固定装置
５１      クランプ部材
【図１】
0003192778.tif 000003
【図２】
0003192778.tif 000004
【図３】
0003192778.tif 000005
【図４】
0003192778.tif 000006
【図５】
0003192778.tif 000007
【図６】
0003192778.tif 000008
【図７】
0003192778.tif 000009
【図８】
0003192778.tif 000010